(57)【要約】【課題】動画を再生するときに、動画とは独立した音声であって、サーバが提供する音声を同時に出力することの可能な電子機器、動画再生システム、及び動画再生方法を提供することを課題とする。【解決手段】ＤＴＶ１はサーバ２より動画コンテンツ２５を取得し、この動画コンテンツ２５に含まれた動画を再生する。動画コンテンツにはユーザ音声が含まれており、このユーザ音声は動画の経過時間と対応付けられ、動画の再生開始からこの経過時間を経過するとき、ＤＴＶ１はこの経過時間に対応付けられたユーザ音声を出力する。【選択図】図１
2011160151.tif 000002
【特許請求の範囲】
【請求項１】
対応付けられて送信された、動画と、前記動画中の所定のタイミングと対応付けられた音声とを受信する受信手段と、
前記動画の再生を行う動画再生手段と、
前記動画再生手段による前記動画の再生中の前記所定のタイミングに前記音声を出力する音声出力手段と、
を具備することを特徴とする電子機器。
【請求項２】
前記受信手段は前記音声と共に、前記音声と対応付けられたテキストデータを受信し、
前記音声出力手段が前記音声を出力するとき、前記音声と対応付けられて受信した前記テキストデータを含む表示画像を表示する画像表示手段と、
を更に具備することを特徴とする請求項１記載の電子機器。
【請求項３】
周囲の音を採取する音声採取手段と、
前記動画の再生中に前記音声採取手段によって採取された音の音声情報を、前記再生中の動画の情報と対応付けて送信する送信手段と、
を更に具備することを特徴とする請求項１記載の電子機器。
【請求項４】
前記音声出力手段は受信した前記音声の出力／非出力を切り替える切り替え手段を備え、
前記切り替え手段に基づいて前記音声を出力すること
を特徴する請求項１記載の電子機器。
【請求項５】
動画と、前記動画中の所定のタイミングと対応付けられた音声とを記憶する記憶手段と、前記記憶手段に記憶された前記動画と前記音声と送信する送信手段と、を有するサーバと、
対応付けられて送信された、動画と、前記動画中の所定のタイミングと対応付けられている音声とを受信する受信手段と、前記動画の再生を行う動画再生手段と、前記動画再生手段による前記動画の再生中の前記所定のタイミングに前記音声を出力する音声出力手段と、を有する電子機器と、
を具備することを特徴とする動画再生システム。
【請求項６】
前記電子機器は、周囲の音を採取する音声採取手段と、前記動画の再生中に前記音声採取手段によって採取された音の音声情報を、前記再生中の動画の情報と対応付けて送信する送信手段と、を更に有し、
前記サーバの前記記憶手段は、前記電子機器より受信する前記音声情報を、前記動画の情報によって示される動画と対応付けて記憶すること
を特徴とする請求項５記載の動画再生システム。
【請求項７】
対応付けられて送信された、動画と、前記動画中の所定のタイミングと対応付けられている音声とを受信し、
前記動画の再生中に、前記動画中の前記所定のタイミングに前記音声を出力する、
ことを特徴とする動画再生方法。
【発明の詳細な説明】
【技術分野】
【０００１】
本発明は電子機器、動画再生システム、及び動画再生方法に関するものであって、特にコンテンツと共に音声を出力することの可能な電子機器、動画再生システム、及び動画再生方法に関する。
【背景技術】
【０００２】
近年の通信技術の発達により、動画再生機能を有する電子機器において再生可能な動画の動画情報である動画コンテンツの、提供者からユーザへの提供形態が多様化している。また、このコンテンツ提供者は、新たな付加価値をつけてユーザへの動画コンテンツ提供を図ろうとしている。
【０００３】
新たな動画コンテンツの提供形態を実現するための動画の視聴システムとして、例えば文字コンテンツサーバが動画タイトルに対応して、時刻に対応する文字コンテンツを保持しており、端末は再生する動画コンテンツの動画タイトルに対応する文字コンテンツを文字コンテンツサーバより取得し、動画再生からの経過時刻が文字コンテンツに対応する時刻となると該コメントを動画に重ねて表示する、動画の視聴システムが提案されている（特許文献１を参照）。
【先行技術文献】
【特許文献】
【０００４】
【特許文献１】特開２００９−９４６５３号公報
【発明の概要】
【発明が解決しようとする課題】
【０００５】
上記提案においては、動画コンテンツに対応する文字コンテンツのテキストを動画に重ねて表示する実施形態は開示されているが、他の出力情報を動画コンテンツと同時に出力する方法に関しては言及されていない。
【０００６】
本発明は上記問題に鑑みてなされたものであって、動画を再生するときに、動画とは独立した音声であって、サーバが提供する音声を同時に出力することの可能な電子機器、動画再生システム、及び動画再生方法を提供することを目的とする。
【課題を解決するための手段】
【０００７】
本発明にかかる電子機器は、対応付けられて送信された、動画と、前記動画中の所定のタイミングと対応付けられている音声とを受信する受信手段と、前記動画の再生を行う動画再生手段と、前記動画再生手段による前記動画の再生中の前記所定のタイミングに前記音声を出力する音声出力手段と、を具備することを特徴としている。
【０００８】
また本発明にかかる動画再生システムは、動画と、前記動画中の所定のタイミングと対応付けられた音声とを記憶する記憶手段と、前記記憶手段に記憶された前記動画と前記音声と送信する送信手段と、を有するサーバと、対応付けられて送信された、動画と、前記動画中の所定のタイミングと対応付けられている音声とを受信する受信手段と、前記動画の再生を行う動画再生手段と、前記動画再生手段による前記動画の再生中の前記所定のタイミングに前記音声を出力する音声出力手段と、を有する電子機器と、を具備することを特徴としている。
【０００９】
更に、本発明にかかる動画再生方法は、対応付けられて送信された、動画と、前記動画中の所定のタイミングと対応付けられている音声とを受信し、前記動画の再生中に、前記動画中の前記所定のタイミングに前記音声を出力する、ことを特徴としている。
【発明の効果】
【００１０】
本発明によれば、動画を再生するときに、動画とは独立した音声であって、サーバが提供する音声を同時に出力することの可能な電子機器、動画再生システム、及び動画再生方法を実現することができる。
【図面の簡単な説明】
【００１１】
【図１】本発明の一実施形態における動画提供システムの一例を示す概観図。
【図２】本発明の一実施形態におけるＤＴＶの内部構成の一例を示すブロック図。
【図３】本発明の一実施形態におけるサーバの内部構成の一例を示すブロック図。
【図４】本発明の一実施形態における動画コンテンツのデータ構造の一例を示す図。
【図５】本発明の一実施形態におけるユーザ音声情報の詳細なデータ構造の一例を示す図。
【図６】本発明の一実施形態におけるＤＴＶの録画コンテンツの動画およびユーザ音声を再生する再生処理に関する機能の機能構成の一例を示すブロック図。
【図７】本発明の一実施形態におけるアカウント名表示画像が表示されたときのＤＴＶを示す概観図。
【図８】本発明の一実施形態におけるＤＴＶの動画コンテンツの再生処理に関する処理の一例を示すフロー図。
【図９】本発明の一実施形態におけるＤＴＶによって採取されるユーザ音声のサーバへの送信処理の一例を示すフロー図。
【発明を実施するための形態】
【００１２】
本発明の一実施形態を図面を参照しながら、以下に説明する。
【００１３】
図１は本実施形態における動画提供システム４の一例を示す概観図である。
【００１４】
ＤＴＶ１は本実施形態における電子機器の一例としてのデジタルテレビジョン（Digital Television）であり、受信した放送波の放送信号から映像・音声情報を抽出し、これらを出力する機能を有している。また、ＤＴＶ１はインターネット３と通信可能に接続されている。本発明における電子機器の一例としてここではＤＴＶ１を示すが、これに限定されるものではない。電子機器の他の例示としては、ＳＴＢ（Set Top Box）、ＨＤＤレコーダ（Hard Disk Drive）レコーダおよびＤＶＤ（Digital Versatile Disc）レコーダのような各種レコーダ等の様々な機器が考えられる。
【００１５】
サーバ２はテレビ局の放送する放送番組の映像・音声情報を動画として録画し、録画された動画とこの動画の番組の関連情報、およびユーザから送信される音声とを共に動画コンテンツとして記憶している。サーバ２はインターネット３に接続されており、インターネット３に接続している電子機器と通信を行うことが可能である。
【００１６】
インターネット３は、例えばInternetのような大規模ネットワーク網（WAN:：Wide Area Network）であり接続された機器同士を通信可能としている。
【００１７】
動画提供システム４においてＤＴＶ１はサーバ２より動画コンテンツを取得し、この動画コンテンツの動画を再生することが可能である。また、ＤＴＶ１はこの動画を再生しているときにユーザの発する音声をユーザ音声として記録し、このユーザ音声をサーバ２に送信する。サーバ２は受信するこのユーザ音声を格納しておき、同じ動画を他の電子機器が取得するときこの動画とユーザ音声とを共に動画コンテンツとして送信し、他の電子機器はこのユーザ音声を動画再生時に出力することができる。
【００１８】
まず、ＤＴＶ１の内部構成について説明する。
【００１９】
図２は本実施形態におけるＤＴＶ１の内部構成の一例を示すブロック図である。
【００２０】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ１１７から送信され受光部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。
【００２１】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。PSK復調器１４６は、ＴＳ（Transport Stream）の復調を行い、復調したＴＳをＴＳ復号器１４７ａに供給し、ＴＳ復号器１４７ａは、TSをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表であるＥＰＧ（Electronic Program Guide）を生成するときに使用する情報である番組関連情報等を含む、放送波の放送番組に関する情報に関するデジタル信号である。この番組関連情報には、放送番組のタイトル、この番組の詳細情報、番組開始時刻、番組終了時刻等の情報が含まれている。
【００２２】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。チューナ１５０の１１個それぞれのチューナで取得した地上波デジタルテレビジョン放送は、これらの複数個のＯＦＤＭ復調器１５１、ＴＳ復号器１４７ｂによってそれぞれ同時にデジタル映像信号、音デジタル音声信号、及びデータ信号を含むデジタル信号として復号された後に、信号処理部１００に出力されることが可能である。
【００２３】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００２４】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００２５】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２６】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２７】
映像処理部１５５は、グラフィック処理部１５２から出力された信号を、表示部１２０で表示可能なフォーマットのアナログ映像信号に変換する。アナログに変換された映像信号は、表示部１２０に表示される。
【００２８】
音声処理部１５３は、入力された音声信号を、スピーカ１１０で再生可能なフォーマットのアナログ音声信号に変換する。アナログに変換された音声信号は、スピーカ１１０に出力されて再生される。
【００２９】
カードホルダ１６１は、カードＩ／Ｆ（Interface）１６０を介して制御部１５６に接続されている。メモリカード１１９は、このカードＩ／Ｆ１６０に装着可能である。メモリカード１１９は、例えばＳＤ（Secure Digital）メモリカード、ＭＭＣ（Multimedia Card）及びＣＦ（Compact Flash）カード等の記憶媒体である。カードホルダ１６１に装着されたメモリカード１１９、及び制御部１５６は、カードＩ／Ｆ１６０を介して情報の書込み／読み出しを行うことができる。  ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブルが接続されており、インターネット３と通信可能となっている。
【００３０】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００３１】
ＨＤＤ１７０はＤＴＶ１に内蔵される磁気記憶媒体であってＤＴＶ１が有する各種情報を記憶する機能を有している。
【００３２】
マイクロホン１８０はマイクロホンに入力される音声を電気信号に変換して、この電気信号をＤＴＶ１に入力する機能を有している。
【００３３】
入力音声処理部１８１はマイクロホン１８０から入力される電気信号に適切な信号処理を行い、制御部１５６に入力する機能を有している。
【００３４】
次にサーバ２の内部構成を説明する。
【００３５】
図３は本実施形態におけるサーバ２の内部構成の一例を示すブロック図である。
【００３６】
図３にはサーバ２、インターネット３、通信部２１、制御部２２、大容量記憶媒体２３、バス２４、および動画コンテンツ２５が示されている。
【００３７】
通信部２１はインターネット３に接続されており、インターネット３と通信を行う機能を有している。
【００３８】
制御部２２はサーバ２全体を制御する機能を有している。制御部２２は通信部２１を介してＤＴＶ１から大容量記憶媒体２３に格納された動画コンテンツの送信要求を受けると、ＤＴＶ１に対して動画コンテンツを送信する。またＤＴＶ１よりユーザ音声を取得すると、これが動画コンテンツ内に含まれるように、ユーザ音声を大容量記憶媒体２３に対して格納する。
【００３９】
大容量記憶媒体２３は例えば磁気記憶媒体のような大容量の不揮発性記憶媒体であって、複数の動画コンテンツを格納している。
【００４０】
バス２４は接続されたモジュールをそれぞれ通信可能とするバス機能を有している。
【００４１】
動画コンテンツ２５は上述のように、録画された番組とこの番組に関する情報である関連情報、およびユーザから送信されるユーザ音声とが含まれるデータある。ＤＴＶ１はこの動画コンテンツ２５を取得して、この動画コンテンツ２５に含まれる録画された番組の動画およびユーザ音声を出力することが可能である。
【００４２】
つぎにこの動画コンテンツ２５として記録される各種情報について説明を行う。
【００４３】
図４は本実施形態における動画コンテンツ２５のデータ構造の一例を示す図である。図４には動画コンテンツ２５、番組コード３１、番組名３２、放送日時３３、放送局３４、番組時間３５、番組情報３６、番組動画データ３７、およびユーザ音声情報３８が示されている。
【００４４】
番組コード３１は動画コンテンツ２５として記録されている録画番組にそれぞれ割り振られた識別コードである。
【００４５】
番組名３２は動画コンテンツ２５として記録されている録画番組の番組名である。
【００４６】
放送日時３３は動画コンテンツ２５として記録されている録画番組の放送日および放送時刻の情報である。
【００４７】
放送局３４は動画コンテンツ２５として記録されている録画番組を放送した放送局の情報である。
【００４８】
番組時間３５は動画コンテンツ２５として記録されている録画番組全体の放送時間を示す情報である。
【００４９】
番組情報３６には動画コンテンツ２５として記録されている録画番組に関するキーワードが示されている。キーワードとしては例えば、番組のジャンル、出演者名等が考えられる。
【００５０】
これらの番組コード３１乃至番組情報３６の情報はＤＴＶ１がサーバ２より所望の（再生したい）動画コンテンツを検索する際に利用することもできる。
【００５１】
番組動画データ３７は動画コンテンツ２５として記録されている録画番組の映像・音声データが格納されている。
【００５２】
ユーザ音声情報３８にはユーザから受信するユーザ音声データおよびこのユーザ音声に関する情報が格納されている。このユーザ音声とは、例えばこの動画コンテンツ２５を再生した電子機器のマイクロホンから採取される音声である。
【００５３】
このユーザ音声情報３８について次にさらに詳細に述べる。
【００５４】
図５は本実施形態におけるユーザ音声情報３８の詳細なデータ構造の一例を示す図である。
【００５５】
動画コンテンツ２５内のユーザ音声情報３８はこの音声を入力したユーザ毎に管理されている。ユーザ音声情報３８はこの音声を入力したユーザを示す識別子であるユーザＩＤ、またこのユーザＩＤが割り当てられたユーザが設定できる名称であるアカウント名、動画再生中のユーザ音声が採取された経過時間（所定のタイミング）である音声時間、及びユーザ音声の音声データとからなる。
【００５６】
本実施形態のおけるＤＴＶ１はインターネット３より録画コンテンツ２５を取得し、この録画コンテンツ２５の録画番組およびユーザ音声を再生することができる。この再生に関するＤＴＶ１の内部構成及び機能について、以下に述べる。
【００５７】
図６は本実施形態におけるＤＴＶ１の録画コンテンツ２５の動画およびユーザ音声を再生する再生処理に関する機能の機能構成の一例を示すブロック図である。
【００５８】
音声情報抽出部６１はインターネット３を介してサーバ２より取得した動画コンテンツ２５よりユーザ音声情報３８を抽出する機能を有している。音声情報抽出部６１は抽出したユーザ音声情報３８をＲＡＭ１５８に格納する。
【００５９】
音声情報制御部６２はユーザ音声の入出力を制御する機能を有している。音声情報制御部６２は、録画番組の再生開始からの時間を計測し、ユーザ音声情報３８の音声時間に示される時間となったとき、これに対応するユーザ音声を出力する。
【００６０】
表示作成部６３は音声情報制御部６２がユーザ音声を出力する際にこの音声に対応するユーザのアカウント名を表示するアカウント名表示画像の信号を生成する機能を有している。このアカウント名表示画像の信号はＯＳＤ信号生成部１５４へと出力され、アカウント名表示画像が表示部１２０に表示される。このアカウント名表示画像については図７を用いて後述にて更に説明を行う。
【００６１】
音声検出部６４はマイクロホン１８０から入力される所定以上の音量の音声を検出し、この音声のデータをＲＡＭ１５８に格納する機能を有している。また、例えばユーザがリモートコントローラ１１７の所定のボタンを押している間の音声のデータをＲＡＭ１５８に格納する等のように、音声データをＲＡＭ１５８に格納するか否かを音量以外の基準によって判別するものとしてもよい。
【００６２】
次に表示作成部６３が作成するアカウント名表示画像について説明を行う。
【００６３】
図７は本実施形態におけるアカウント名表示画像が表示されたときのＤＴＶ１を示す概観図である。図７にはＤＴＶ１、スピーカ１１０、表示部１２０、動画７１、およびアカウント名表示画像７２が示されている。
【００６４】
ＤＴＶ１が動画コンテンツをサーバ２より取得し、この動画コンテンツの動画７１を再生するとき、ＤＴＶ１は再生を開始してからの経過時間がユーザ音声情報３８中の音声時間と同じ時間となるとき、この時間に対応している音声データをスピーカ１１０より出力する。このとき、ＤＴＶ１は同時にこのユーザ音声に対応付けられているアカウント名をアカウント名表示画像７２に含めて表示部１２０に表示する。
【００６５】
視聴中のユーザは、このアカウント名表示画像７２を見て現在出力中の音声がどのアカウント名を持つユーザによって入力された音声であるかを知ることができる。視聴中のユーザはこの時出力されているユーザ音声を入力したユーザのユーザ音声を今後聞きたくない場合には、このアカウント名を有しているユーザのユーザ音声の出力を禁止することができる。このとき、ユーザがリモートコントローラ１１７等によってＤＴＶ１に禁止指示を行うと、後に音声情報制御部６２はこのアカウント名をＲＡＭ１５８から検出してのこのアカウント名に対応する音声データの出力は行わない。これによりユーザは、アカウント名に応じて、ユーザ音声の出力を行うか否かの選択を行うことができる。
【００６６】
次にＤＴＶ１の動画コンテンツの再生処理に関する処理フローを説明する。
【００６７】
図８は本実施形態におけるＤＴＶ１の動画コンテンツ２５の再生処理に関する処理の一例を示すフロー図である。
【００６８】
まず、ＤＴＶ１はインターネット３を介してサーバ２より動画コンテンツ２５を取得し（ステップＳ８１）、次にユーザ音声を出力する設定となっているか否かの判別を行う（ステップＳ８２）。このユーザ音声を出力するか否かの設定はユーザがあらかじめリモートコントローラ１１７等において設定可能である。
【００６９】
ステップＳ８２においてユーザ音声を出力しないと設定されているときは（ステップＳ８２、Ｎｏ）、音声制御部６２はユーザ音声を出力せず、ＤＴＶ１は動画の再生のみを行う（ステップＳ８３）。
【００７０】
ステップＳ８２においてユーザ音声を出力するとき（ステップＳ８２、Ｙｅｓ）、ＤＴＶ１は動画を再生する（ステップＳ８４）。
【００７１】
ステップＳ８４の次に、音声制御部６２は特定のアカウント名が音声出力禁止対象に設定されているか否かの判別を行う（ステップＳ８５）。ここでも特定のアカウント名のユーザ音声出力禁止に関する設定はユーザがあらかじめリモートコントローラ１１７等において設定可能である。
【００７２】
ステップＳ８５において特定の人物が音声出力禁止対象に設定されていなければ（ステップＳ８５、Ｎｏ）、音声制御部６２はＲＡＭ１５７に格納されているユーザ音声を全て、動画の再生を始めてからの経過時間が対応する音声時間に示される時間となるときに出力し（ステップＳ８６）、これと同時に表示作成部６３は出力しているユーザ音声に対応するアカウント名をアカウント名表示画像７２によって表示部１２０に表示させる。
【００７３】
ステップＳ８５において特定の人物が音声出力禁止対象に設定されるとき（ステップＳ８５、Ｙｅｓ）、音声情報内よりこの音声出力禁止対象に設定されているアカウント名を検出し（ステップＳ８７）、このアカウント名に対応する音声データ以外の音声データを音声時間に示される時間となるときに出力する（ステップＳ８８）。またこのときも出力するユーザ音声に対応するアカウント名をアカウント名表示画像７２によって表示部１２０に表示させる。
【００７４】
ステップＳ８３、ステップＳ８６、およびステップＳ８８の次に動画の再生が終了すると（ステップＳ８９）、一連の処理フローは終了となる。
【００７５】
本実施形態においてユーザはユーザ音声を出力するか否かの設定を行うことができ、ユーザはユーザ音声を出力したい場合としたくない場合で、設定を切り替えることが可能である。また、上記処理フローにおいては番組動画再生開始以前にユーザ音声を出力するか否か設定がなされているものとして例示したが、動画再生中に設定がおこなわれてこの設定に基づいてユーザ音声の出力を開始／終了するとしてもよい。また、特定アカウント名に関するユーザ音声出力の設定も上述と同様に、動画再生中に設定可能としてもよい。
【００７６】
本実施形態においてＤＴＶ１は所定のユーザのユーザ音声の出力を禁止することが可能である。これにより、視聴を行うユーザは聞きたいユーザ音声のみを聞くことができる。
【００７７】
次にＤＴＶ１によって採取されるユーザ音声のサーバ２への送信処理に関しての説明を行う。
【００７８】
図９は本実施形態におけるＤＴＶ１によって採取されるユーザ音声のサーバ２への送信処理の一例を示すフロー図である。
【００７９】
ＤＴＶ１が動画コンテンツ２５の動画を再生するとき（ステップＳ９１）、音声情報制御部６２は設定に基づいてユーザ音声をサーバ２に送信するか否かの判別を行う（ステップＳ９２）。この設定もユーザによって予めリモートコントローラ１１７等を用いて設定可能であるものとする。
【００８０】
ステップＳ９２においてユーザ音声をサーバ２に送信する場合（ステップＳ９２、Ｙｅｓ）、この番組動画の音声制御部６２はこの番組動画の再生開始からの時間経過を計測する（ステップＳ９３）。
【００８１】
次に音声検出部６４がマイクロホン１８０によって採取される音声の音量が所定値以上であるかの判別を行う（ステップＳ９４）。
【００８２】
ステップＳ９４において採取される音声が所定値以上となるとき（ステップＳ９４、Ｙｅｓ）、音声検出部６４はこの音声をユーザ音声としてＲＡＭ１５７に格納する（ステップＳ９５）。このとき音声情報制御部６２は同時に、動画再生を開始してからこの時までの経過時間の情報をこのユーザ音声の音声データと対応させてＲＡＭ１５７に格納する。
【００８３】
ステップＳ９４において採取される音声が所定値以上でないとき（ステップＳ９４、Ｎｏ）、及びステップＳ９５の処理完了後、番組動画の再生終了まで（ステップＳ９６、Ｎｏ）、このステップＳ９４〜ステップＳ９６の処理を繰り返す。
【００８４】
番組動画の再生を終了するとき（ステップＳ９６、Ｙｅｓ）、音声情報制御部６２はこのＤＴＶ１のユーザのユーザＩＤおよびアカウント名と、ＲＡＭ１５７に格納されたユーザ情報及び経過時間とを対応付けてサーバ２に送信する（ステップＳ９７）。
【００８５】
ステップＳ９７終了後、およびステップＳ９２においてユーザ音声をサーバ２に送信しない場合は（ステップＳ９２、Ｎｏ）、ＤＴＶ１は一連の処理フローを終了する。
【００８６】
本実施形態においては、ステップＳ９４において採取した音声をＲＡＭ１５７に格納するか否かを判別する基準として、採取する音声の音量が所定値以上であるか否かを採用しているが、これに限定されず、上述のようにユーザがリモートコントローラ１１７の所定のボタンを押しているか否か等を基準とするとしてもよい。この場合ユーザはユーザ音声としてサーバ２に送信したいと考える音声のみを意識的にユーザ音声としてサーバ２に送信することができる。
【００８７】
サーバ２はＤＴＶ１のような電子機器より送信されるユーザ音声を動画コンテンツ２５の音声データとして記憶し、次に動画コンテンツ２５を他の電子機器に送信する際にはこのユーザ音声を動画コンテンツとして動画と共に送信する。
【００８８】
ユーザは再生された動画を視聴しながら、この動画を視聴した他人の音声を聞くことができ、ユーザにとってこのＤＴＶ１は非常に面白いものとなる。例えば、大人数のユーザ音声を出力しながらスポーツの動画を再生したとすると、そのスポーツが行われている会場にいるかのように感じることができ、ユーザは臨場感を味わうことが可能となる。
【００８９】
本実施形態における電子機器の一例であるＤＴＶ１は動画を再生するとき動画とは独立した音声であって、サーバ２が提供する音声を同時に出力することの可能ができる。
【００９０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００９１】
１…ＤＴＶ、２…サーバ、３…インターネット、４…動画提供システム、１１０…スピーカ、１２０…表示部、１００…信号処理部、１１６…操作部、１１７…リモートコントローラ、１１８…受光部、１１９…メモリカード、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１６０…カードＩ／Ｆ、１６１…カードホルダ、１６４…ＬＡＮ  Ｉ／Ｆ、１６６…ＵＳＢ  Ｉ／Ｆ、１６８…アナログチューナ、１６９…アナログ復調器、１７０…ＨＤＤ、１８０…マイクロホン、１８１…入力音声処理部、２１…通信部、２２…制御部、２３…大容量記憶媒体、２４…バス、２５…動画コンテンツ、３１…番組コード、３２…番組名、３３…放送日時、３４…放送局、３５…番組時間、３６…番組情報、３７…番組動画データ、３８…ユーザ音声情報、６１…音声情報抽出部、６２…音声情報制御部、６３…表示作成部、６４…音声検出部、７１…動画、７２…アカウント名表示画像
【図１】
2011160151.tif 000003
【図２】
2011160151.tif 000004
【図３】
2011160151.tif 000005
【図４】
2011160151.tif 000006
【図５】
2011160151.tif 000007
【図６】
2011160151.tif 000008
【図７】
2011160151.tif 000009
【図８】
2011160151.tif 000010
【図９】
2011160151.tif 000011
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
対応付けられて送信された、動画と、前記動画の再生中に採取され音量が所定値以上になったときに前記動画中の所定のタイミングと対応付けて記憶させた音声と、前記音声と対応付けられたテキストデータとを受信する受信手段と、
前記受信された動画の再生を行う動画再生手段と、
前記動画再生手段による前記受信された動画の再生中の前記所定のタイミングに前記音声を出力する音声出力手段と、
前記音声出力手段が前記音声を出力するとき、前記音声と対応付けられて受信した前記テキストデータを含む表示画像を表示する画像表示手段と、
を具備することを特徴とする電子機器。
【請求項２】
周囲の音を採取する音声採取手段と、
前記動画の再生中に前記音声採取手段によって採取された音の音声情報を、前記再生中の動画の情報と対応付けて送信する送信手段と、
を更に具備することを特徴とする請求項１記載の電子機器。
【請求項３】
前記音声出力手段は受信した前記音声の出力／非出力を切り替える切り替え手段を備え、
前記切り替え手段に基づいて前記音声を出力すること
を特徴する請求項１記載の電子機器。
【請求項４】
動画と、前記動画の再生中に採取され音量が所定値以上になったときに前記動画中の所定のタイミングと対応付けて格納させた音声と、前記音声と対応付けられたテキストデータとを記憶する記憶手段と、前記記憶手段に記憶された前記動画と前記音声と前記テキストデータとを送信する送信手段と、を有するサーバと、
対応付けられて送信された、前記動画と前記音声と前記テキストデータとを受信する受信手段と、前記受信された動画の再生を行う動画再生手段と、前記動画再生手段による前記受信された動画の再生中の前記所定のタイミングに前記音声を出力する音声出力手段と、前記音声出力手段が前記音声を出力するとき、前記音声と対応付けられて受信した前記テキストデータを含む表示画像を表示する画像表示手段と、を有する電子機器と、
を具備することを特徴とする動画再生システム。
【請求項５】
前記電子機器は、周囲の音を採取する音声採取手段と、前記動画の再生中に前記音声採取手段によって採取された音の音声情報を、前記再生中の動画の情報と対応付けて送信する送信手段と、を更に有し、
前記サーバの前記記憶手段は、前記電子機器より受信する前記音声情報を、前記動画の情報によって示される動画と対応付けて記憶すること
を特徴とする請求項４記載の動画再生システム。
【請求項６】
対応付けられて送信された、動画と、前記動画の再生中に採取され音量が所定値以上になったときに前記動画中の所定のタイミングと対応付けて記憶させた音声と、前記音声と対応付けられたテキストデータとを受信するステップと、
前記受信された動画の再生を行うステップと、
前記再生を行うステップにて、前記受信された動画の再生中の前記所定のタイミングに前記音声を出力するステップと、
前記音声を出力するとき、前記音声と対応付けられて受信した前記テキストデータを含む表示画像を表示するステップと、
を有することを特徴とする動画再生方法。
【手続補正２】
【補正対象書類名】明細書
【補正対象項目名】０００７
【補正方法】変更
【補正の内容】
【０００７】
本発明にかかる電子機器は、対応付けられて送信された、動画と、前記動画の再生中に採取され音量が所定値以上になったときに前記動画中の所定のタイミングと対応付けて記憶させた音声と、前記音声と対応付けられたテキストデータとを受信する受信手段と、前記受信された動画の再生を行う動画再生手段と、前記動画再生手段による前記受信された動画の再生中の前記所定のタイミングに前記音声を出力する音声出力手段と、前記音声出力手段が前記音声を出力するとき、前記音声と対応付けられて受信した前記テキストデータを含む表示画像を表示する画像表示手段と、を具備することを特徴としている。
【手続補正３】
【補正対象書類名】明細書
【補正対象項目名】０００８
【補正方法】変更
【補正の内容】
【０００８】
また本発明にかかる動画再生システムは、動画と、前記動画の再生中に採取され音量が所定値以上になったときに前記動画中の所定のタイミングと対応付けて格納させた音声と、前記音声と対応付けられたテキストデータとを記憶する記憶手段と、前記記憶手段に記憶された前記動画と前記音声と前記テキストデータとを送信する送信手段と、を有するサーバと、対応付けられて送信された、前記動画と前記音声と前記テキストデータとを受信する受信手段と、前記受信された動画の再生を行う動画再生手段と、前記動画再生手段による前記受信された動画の再生中の前記所定のタイミングに前記音声を出力する音声出力手段と、前記音声出力手段が前記音声を出力するとき、前記音声と対応付けられて受信した前記テキストデータを含む表示画像を表示する画像表示手段と、を有する電子機器と、を具備することを特徴としている。
【手続補正４】
【補正対象書類名】明細書
【補正対象項目名】０００９
【補正方法】変更
【補正の内容】
【０００９】
更に、本発明にかかる動画再生方法は、対応付けられて送信された、動画と、前記動画の再生中に採取され音量が所定値以上になったときに前記動画中の所定のタイミングと対応付けて記憶させた音声と、前記音声と対応付けられたテキストデータとを受信するステップと、前記受信された動画の再生を行うステップと、前記再生を行うステップにて、前記受信された動画の再生中の前記所定のタイミングに前記音声を出力するステップと、前記音声を出力するとき、前記音声と対応付けられて受信した前記テキストデータを含む表示画像を表示するステップと、を有することを特徴としている。